(57)【要約】【課題】  小型で且つ変則的な形状を有する部品の増大を抑制しつつ、迷光に起因するノイズが低減された光モジュールを提供する。【解決手段】  メインハウジング１１０と、メインハウジング１１０の第２の部品取り付け部１１２に保持された発光部品１３０と、メインハウジング１１０の第３の部品取り付け部１１３に保持された受光部品１４０及びフィルタ保持部材１５０と、フィルタ保持部材１５０に保持された第１及び第２の光学フィルタ１６１，１６２とを備える。フィルタ保持部材１５０は、第１の部品取り付け部１１１と第２の部品取り付け部１１２を結ぶ直線に対してほぼ４５°の角度を持った第１の面と、受光部品１４０に対して実質的に垂直な第２の面とを有し、第１の面に第１の光学フィルタ１６１が載置され、第２の面に第２の光学フィルタ１６２が載置されている。【選択図】          図２
2005202156.tif 000002
【特許請求の範囲】
【請求項１】
光ファイバーを固定可能な第１の部品取り付け部、前記第１の部品取り付け部と対向する位置に設けられた第２の部品取り付け部、並びに、前記第１の部品取り付け部と前記第２の部品取り付け部を結ぶ直線に対して第１の角度を持った位置に設けられた第３の部品取り付け部を有するメインハウジングと、
前記メインハウジングの前記第２の部品取り付け部に保持された発光部品と、
前記メインハウジングの前記第３の部品取り付け部に保持された受光部品及びフィルタ保持部材と、
前記フィルタ保持部材に保持された第１及び第２の光学フィルタとを備え、
前記フィルタ保持部材は、前記直線に対して前記第１の角度とは異なる第２の角度を持った第１の面と、前記受光部品に対して実質的に垂直な第２の面とを有し、前記フィルタ保持部材の第１の面に前記第１の光学フィルタが載置され、前記フィルタ保持部材の第２の面に前記第２の光学フィルタが載置されていることを特徴とする光モジュール。
【請求項２】
前記第２の角度は、前記第１の角度の半分であることを特徴とする請求項１に記載の光モジュール。
【請求項３】
前記第１の角度はほぼ９０°であり、前記第２の角度はほぼ４５°であることを特徴とする請求項２に記載の光モジュール。
【請求項４】
前記第１の光学フィルタは、前記光ファイバーより供給される光を反射し、前記発光部品が発生する光を透過する性質を有していることを特徴とする請求項１乃至３のいずれか１項に記載の光モジュール。
【請求項５】
前記第２の光学フィルタは、前記光ファイバーより供給される光を透過し、前記発光部品が発生する光を反射する性質を有していることを特徴とする請求項１乃至４のいずれか１項に記載の光モジュール。
【請求項６】
前記フィルタ保持部材はキャップ部を有しており、前記メインハウジングの前記第３の部品取り付け部に前記フィルタ保持部材の前記キャップ部が嵌め込まれており、前記フィルタ保持部材の前記キャップ部に前記受光部品が嵌め込まれていることを特徴とする請求項１乃至５のいずれか１項に記載の光モジュール。
【請求項７】
前記フィルタ保持部材はいずれも前記第１の面を持った第１及び第２の突出部をさらに有しており、前記第１及び第２の突出部は前記直線を挟むように配置されていることを特徴とする請求項６に記載の光モジュール。
【請求項８】
前記フィルタ保持部材の前記キャップ部は、前記メインハウジングの前記第３の部品取り付け部と前記受光部品に挟まれた筒状部分と、前記筒状部分の一端に設けられ、嵌め込まれた前記受光部品のストッパーとして機能するストッパー部分とを含んでいることを特徴とする請求項６又は７に記載の光モジュール。
【請求項９】
前記フィルタ保持部材の前記キャップ部は、前記メインハウジングの前記第３の部品取り付け部と前記受光部品に挟まれた第１の筒状部分と、前記第１の筒状部分よりも径の小さい第２の筒状部分と、前記第１の筒状部分と前記第２の筒状部分とを接続するストッパー部分と、前記第２の筒状部分の一端に設けられ、開口を有するフィルタ載置部分とを含んでおり、前記ストッパー部分は、嵌め込まれた前記受光部品のストッパーとして機能し、前記フィルタ載置部分は、前記第２の面を有していることを特徴とする請求項６又は７に記載の光モジュール。
【請求項１０】
前記第１の部品取り付け部に設けられ、前記光ファイバーの位置を光軸に沿った方向に調整可能なスライダをさらに備えることを特徴とする請求項１乃至９のいずれか１項に記載の光モジュール。
【請求項１１】
前記スライダは、フェルールを挿入可能な筒状構造を有していることを特徴とする請求項１０に記載の光モジュール。
【請求項１２】
前記第１の部品取り付け部に設けられ、前記光ファイバーの位置を前記光軸に対して垂直方向に調整可能な他のスライダをさらに備えることを特徴とする請求項１０又は１１に記載の光モジュール。
【請求項１３】
前記第２の部品取り付け部は、前記発光部品の位置を前記光軸に対して垂直方向に調整可能に構成されていることを特徴とする請求項１０乃至１２のいずれか１項に記載の光モジュール。
【請求項１４】
前記メインハウジングは、一端に前記第１の部品取り付け部が設けられ、他端に前記第２の部品取り付け部が設けられた筒状構造を有していることを特徴とする請求項１乃至１３のいずれか１項に記載の光モジュール。
【請求項１５】
前記メインハウジングの前記第３の部品取り付け部には、前記フィルタ保持部材の前記キャップ部の少なくとも一部を収容するキャビティが設けられていることを特徴とする請求項６乃至１４のいずれか１項に記載の光モジュール。
【請求項１６】
前記第１の部品取り付け部は、前記光ファイバーを前記直線に対して所定の傾きを持って固定可能に構成されていることを特徴とする請求項１乃至１５のいずれか１項に記載の光モジュール。
【請求項１７】
前記所定の傾きが５°以下であることを特徴とする請求項１６に記載の光モジュール。
【発明の詳細な説明】
【技術分野】
【０００１】
本発明は光モジュールに関し、特に、双方向通信が可能な光モジュールに関する。
【背景技術】
【０００２】
近年におけるインターネットの発展により、人々は多くの情報にリアルタイムにアクセスし、また多くの情報を扱うことが可能となっている。情報の伝送には、銅線、光ファイバー、無線通信等が用いられているが、大容量の情報を高速に伝送するためには光ファイバーが特に優れており、今後、各家庭に光ファイバーが敷設されることになるものと予想される。
【０００３】
しかしながら、端末側における情報処理には光信号ではなく電気信号が用いられることから、端末間を光ファイバーにより接続する場合には、光ファイバーと端末との間にいわゆる光モジュールを介在させる必要がある。光モジュールは、光ファイバーより受信した光信号を電気信号に変換して端末に供給するとともに、端末より与えられた電気信号を光信号に変換して光ファイバーに供給するための装置であり、従来より種々のタイプの光モジュールが提案されている。
【０００４】
図１２は、特許文献１に記載された従来の光モジュール１０の構造を示す略断面図である。
【０００５】
図１２に示す光モジュール１０は、メインハウジング１２と、メインハウジング１２に保持された光ファイバー１４、発光部品１６及び受光部品１８と、メインハウジング１２内に設けられたフィルタ保持部材２０と、フィルタ保持部材２０に保持された光学フィルタ２２とを備えている。図１２に示す光モジュール１０では、光ファイバー１４と発光部品１６は一直線上に配置され、受光部品１８はこの直線に対して９０°の角度を持って配置されている。また、光学フィルタ２２は、光ファイバー１４より供給される受信光１４ａを反射し、発光部品１６が発生する送信光１６ａを透過する性質を有しており、フィルタ保持部材２０は、この直線に対して光学フィルタ２２を４５°の角度を持って保持している。このため、光ファイバー１４より供給される受信光１４ａは、光学フィルタ２２により反射して受光部品１８へと入射する一方、発光部品１６が発生する送信光１６ａは、光学フィルタ２２を透過して光ファイバー１４へと供給されることになる。
【０００６】
これにより、光ファイバー１４より受信した光信号を電気信号に変換して端末に供給するとともに、端末より与えられた電気信号を光信号に変換して光ファイバー１４に供給することが可能となり、光信号を用いた端末間における双方向通信を行うことが可能となる。
【特許文献１】登録実用新案第３０９５９０２号公報
【発明の開示】
【発明が解決しようとする課題】
【０００７】
しかしながら、特許文献１に記載された光モジュール１０では、発光部品１６が発生する送信光１６ａが迷光となってメインハウジング１２内で散乱することがあり、これが受光部品１８に達すると、受信信号に対するノイズとなってしまう。このような問題を解決するためには、受光部品１８側にもう一つの光学フィルタを配置することによって迷光を遮断することが効果的であると考えられるが、この光学フィルタ用に別のフィルタ保持部材を設けると部品点数がさらに増大してしまう。しかも、フィルタ保持部材は小型で且つ変則的な形状を有していることから、このような部品の点数が増えると製造工程が複雑となり、製品のコストを増大させてしまう。
【０００８】
したがって、本発明の目的は、双方向通信が可能な改良された光モジュールを提供することである。
【０００９】
また、本発明の他の目的は、小型で且つ変則的な形状を有する部品の増大を抑制しつつ、迷光に起因するノイズが低減された光モジュールを提供することである。
【課題を解決するための手段】
【００１０】
本発明による光モジュールは、光ファイバーを固定可能な第１の部品取り付け部、前記第１の部品取り付け部と対向する位置に設けられた第２の部品取り付け部、並びに、前記第１の部品取り付け部と前記第２の部品取り付け部を結ぶ直線に対して第１の角度を持った位置に設けられた第３の部品取り付け部を有するメインハウジングと、前記メインハウジングの前記第２の部品取り付け部に保持された発光部品と、前記メインハウジングの前記第３の部品取り付け部に保持された受光部品及びフィルタ保持部材と、前記フィルタ保持部材に保持された第１及び第２の光学フィルタとを備え、前記フィルタ保持部材は、前記直線に対して前記第１の角度とは異なる第２の角度を持った第１の面と、前記受光部品に対して実質的に垂直な第２の面とを有し、前記フィルタ保持部材の第１の面に前記第１の光学フィルタが載置され、前記フィルタ保持部材の第２の面に前記第２の光学フィルタが載置されていることを特徴とする。
【００１１】
本発明によれば、２つの光学フィルタを一つのフィルタ保持部材によって保持していることから、部品点数の増大を抑制することが可能となる。また、これら光学フィルタの位置関係にずれが生じることがほとんど無く、これら光学フィルタを精度良く位置決めすることが可能となる。さらに、フィルタ保持部材が受光部品とともに第３の部品取り付け部に保持されていることから、これら２つのフィルタと受光部品との位置関係にずれが生じにくいという利点もある。
【００１２】
ここで、第２の角度は第１の角度の半分であることが好ましく、第１の角度はほぼ９０°であり、第２の角度はほぼ４５°であることがより好ましい。これによれば、第１の光学フィルタが光ファイバーより供給される光を反射し、発光部品が発生する光を透過する性質を有していれば、光ファイバーより供給される光を受光部品に入射させ、発光部品より発せられる光を光ファイバーへと供給することが可能となる。
【００１３】
また、第２の光学フィルタが光ファイバーより供給される光を透過し、発光部品が発生する光を反射する性質を有していれば、発光部品より発生した光が迷光となってメインハウジング内で散乱した場合であっても、これが受光部品に達することなく、第２の光学フィルタによって遮断される。このため、迷光に起因するノイズを低減することが可能となる。
【００１４】
また、前記フィルタ保持部材はキャップ部を有しており、前記メインハウジングの前記第３の部品取り付け部に前記フィルタ保持部材の前記キャップ部が嵌め込まれており、前記フィルタ保持部材の前記キャップ部に前記受光部品が嵌め込まれていることが好ましい。これによれば、受光部品及びフィルタ保持部材を第３の部品取り付け部に確実に保持することが可能となる。
【００１５】
さらに、前記フィルタ保持部材はいずれも前記第１の面を持った第１及び第２の突出部をさらに有しており、前記第１及び第２の突出部は前記直線を挟むように配置されていることが好ましい。これによれば、発光部品より供給される光がフィルタ保持部材によって遮られることなく、光ファイバーへと確実に供給することが可能となる。
【００１６】
さらに、前記フィルタ保持部材の前記キャップ部は、前記メインハウジングの前記第３の部品取り付け部と前記受光部品に挟まれた筒状部分と、前記筒状部分の一端に設けられ、嵌め込まれた前記受光部品のストッパーとして機能するストッパー部分とを含んでいることが好ましい。これによれば、受光部品をフィルタ保持部材に対して正確に位置決めすることが可能となる。
【００１７】
さらに、前記フィルタ保持部材の前記キャップ部は、前記メインハウジングの前記第３の部品取り付け部と前記受光部品に挟まれた第１の筒状部分と、前記第１の筒状部分よりも径の小さい第２の筒状部分と、前記第１の筒状部分と前記第２の筒状部分とを接続するストッパー部分と、前記第２の筒状部分の一端に設けられ、開口を有するフィルタ載置部分とを含んでおり、前記ストッパー部分は、嵌め込まれた前記受光部品のストッパーとして機能し、前記フィルタ載置部分は、前記第２の面を有していることが好ましい。これによれば、受光部品に含まれているレンズ等が突出している場合であっても、レンズ等の突出部とフィルタ保持部材が干渉することがなくなる。
【００１８】
また、前記第１の部品取り付け部に設けられ、前記光ファイバーの位置を光軸に沿った方向に調整可能なスライダをさらに備えることが好ましく、このスライダは、フェルールを挿入可能な筒状構造を有していることがより好ましい。さらに、前記第１の部品取り付け部に設けられ、前記光ファイバーの位置を前記光軸に対して垂直方向に調整可能な他のスライダをさらに備えていることがより好ましい。さらに、前記第２の部品取り付け部は、前記発光部品の位置を前記光軸に対して垂直方向に調整可能に構成されていることもまた好ましい。これらによれば、光ファイバー等の位置調整により、発光部品より発せられる光を効率よく光ファイバーに供給することが可能となる。
【００１９】
また、前記メインハウジングは、一端に前記第１の部品取り付け部が設けられ、他端に前記第２の部品取り付け部が設けられた筒状構造を有していることが好ましい。さらに、前記メインハウジングの前記第３の部品取り付け部には、前記フィルタ保持部材の前記キャップ部の少なくとも一部を収容するキャビティが設けられていることがより好ましい。このようなキャビティを設ければ、光ファイバーの終端部と受光部品との距離を近づけられることから、受信信号の信号強度を高めることが可能となる。
【００２０】
また、前記第１の部品取り付け部は、前記光ファイバーを前記直線に対して所定の傾きを持って固定可能に構成されていることが好ましく、この場合、前記所定の傾きは５°以下であることが好ましい。これによれば、光ファイバーの終端部が所定の傾きを持って切断されている場合であっても、この傾きによる影響を補償し、光ファイバーと発光部品を効率よく結合させることが可能となる。
【発明の効果】
【００２１】
このように、本発明によれば、小型で且つ変則的な形状を有するフィルタ保持部材の数を増やすことなく、迷光に起因するノイズを低減することが可能となる。これにより、低コストで且つ高性能な光モジュールを提供することが可能となる。
【発明を実施するための最良の形態】
【００２２】
以下、添付図面を参照しながら、本発明の好ましい実施の形態について詳細に説明する。
【００２３】
図１は、本発明の好ましい実施の形態による光モジュール１００の構成を示す断面図であり、図２は、光モジュール１００の分解断面図である。
【００２４】
図１及び図２に示すように、本実施形態による光モジュール１００は、メインハウジング１１０と、メインハウジング１１０に取り付けられたファイバー保持部品１２０、発光部品１３０及び受光部品１４０と、受光部品１４０を覆うように設けられたフィルタ保持部材１５０と、フィルタ保持部材１５０に保持された第１の光学フィルタ１６１及び第２の光学フィルタ１６２とを備えている。本実施形態による光モジュール１００は、光ファイバー１２１より例えば波長が１５００ｎｍの光信号を受けてこれを電気信号に変換するとともに、端末より与えられた電気信号を例えば波長が１３００ｎｍの光信号に変換して光ファイバー１２１に供給することにより、光信号を用いた端末間における双方向通信を行うために用いられる。
【００２５】
メインハウジング１１０は筒状構造を有しており、図２に示すように、その一端にはファイバー保持部品１２０を取り付けるための第１の部品取り付け部１１１が設けられ、他端には発光部品１３０を取り付けるための第２の部品取り付け部１１２が設けられている。また、第１の部品取り付け部１１１と第２の部品取り付け部１１２を結ぶ直線１１０ａに対して９０°の角度を持った位置には、受光部品１４０を取り付けるための第３の部品取り付け部１１３が設けられている。メインハウジング１１０の第３の部品取り付け部１１３は、フィルタ保持部材１５０の一部を収容可能なキャビティ形状であることが好ましい。メインハウジング１１０の材料としては、特に限定されるものではないが、機械的強度や加工精度を考慮すれば金属を用いることが好ましい。
【００２６】
ファイバー保持部品１２０は、図２に示す矢印１２０ａに沿って取り付けることにより、メインハウジング１１０の第１の部品取り付け部１１１に保持される部品であり、光信号の伝送媒体となる光ファイバー１２１及びこれを覆うファイバー被覆１２２の末端を保持する役割を果たす。ファイバー保持部品１２０は、リング状である第１のスライダ１２３と、筒状構造を有し、光ファイバー１２１の終端部を保持するフェルール１２５が挿入された第２のスライダ１２４を備えている。第１のスライダ１２３は、メインハウジング１１０に対して図１に示すＸ方向（図１の上下方向）及びＹ方向（図１が描かれた紙面に垂直な方向）に摺動可能であり、これによって光ファイバー１２１の位置を光軸に対して垂直方向に調整することが可能となる。また、第２のスライダ１２４は、第１のスライダ１２３に対して図１に示すＺ方向（図１の左右方向）に摺動可能であり、これによって光ファイバー１２１の位置を光軸に沿った方向に調整することが可能となる。第１及び第２のスライダ１２３、１２４の材料についても、特に限定されるものではないが、機械的強度や加工精度の観点から金属を用いることが好ましい。
【００２７】
発光部品１３０は、図２に示す矢印１３０ａに沿って取り付けることにより、メインハウジング１１０の第２の部品取り付け部１１２に保持される部品であり、レーザダイオード等の発光素子１３１と、発光素子１３１が発する送信光１００ａを集光するレンズ１３２と、端末からの電気信号を受ける信号ピン１３３とを備えている。発光部品１３０は、信号ピン１３３を介して端末より電気信号を受けると、発光素子１３１によってこれを光信号に変換し、この光信号をレンズ１３２を介して光ファイバー１２１へ送出する役割を果たす。但し、発光部品１３０にレンズ１３２が含まれていることは必須でなく、これが省略されていても構わない。
【００２８】
受光部品１４０及びフィルタ保持部材１５０は、図２に示す矢印１４０ａ、１５０ａに沿って取り付けることにより、メインハウジング１１０の第３の部品取り付け部１１３に保持される部品である。受光部品１４０は、フォトダイオード等の受光素子１４１と、光ファイバー１２１より受光素子１４１に与えられる受信光１００ｂを集光するレンズ１４２と、端末に電気信号を供給する信号ピン１４３とを備えている。受光部品１４０は、レンズ１４２を介して受光素子１４１に光信号が与えられると、受光素子１４１によってこれを電気信号に変換し、この電気信号を信号ピン１４３を介して端末に送出する役割を果たす。但し、受光部品１４０にレンズ１４２が含まれていることは必須でなく、これが省略されていても構わない。
【００２９】
図３はフィルタ保持部材１５０の構造をより詳細に示す略斜視図である。
【００３０】
図３に示すように、フィルタ保持部材１５０は、第１の筒状部分１５１と、第１の筒状部分１５１よりも径の小さい第２の筒状部分１５２と、第１の筒状部分１５１と第２の筒状部分１５２とを接続するストッパー部分１５３と、第２の筒状部分１５２の一端に設けられ、開口１５４ａを有するフィルタ載置部分１５４と、フィルタ載置部分１５４に設けられた第１及び第２の突出部１５５、１５６によって構成されている。
【００３１】
第１の筒状部分１５１、第２の筒状部分１５２、ストッパー部分１５３及びフィルタ載置部分１５４は「キャップ部」を構成しており、実際の使用時においては、図１及び図２に示すようにメインハウジング１１０の第３の部品取り付け部１１３にフィルタ保持部材１５０のキャップ部が嵌め込まれ、このキャップ部に受光部品１４０が嵌め込まれることになる。したがって、メインハウジング１１０の第３の部品取り付け部１１３に受光部品１４０及びフィルタ保持部材１５０が保持されると、第１の筒状部分１５１は、メインハウジング１１０の第３の部品取り付け部１１３と受光部品１４０との間に挟まれ、これにより、受光部品１４０及びフィルタ保持部材１５０が第３の部品取り付け部１１３に保持されることになる。また、ストッパー部分１５３は、嵌め込まれた受光部品１４０に対するストッパーとしての役割を果たし、これにより受光部品１４０はフィルタ保持部材１５０に対して正確に位置決めされることになる。
【００３２】
また、第１及び第２の突出部１５５、１５６は、図３に示すようにいずれも筒状体の一部を切断した湾曲形状を有しており、第１の部品取り付け部１１１と第２の部品取り付け部１１２を結ぶ直線、すなわち、送信光１００ａの光路を挟むように配置されている。これによって、送信光１００ａはフィルタ保持部材１５０によって遮られることなく、発光部品１３０から光ファイバー１２１へと供給されることになる。
【００３３】
さらに、第１及び第２の突出部１５５、１５６は、いずれも送信光１００ａの光路に対して４５°の傾きを持った面（第１の面）１５７を有しており、この第１の面１５７に第１の光学フィルタ１６１が保持される。これにより、第１の光学フィルタ１６１は送信光１００ａの光路に対して４５°の角度を持って保持されることになる。また、開口１５４ａを有するフィルタ載置部分１５４は、受光部品１４０に対して実質的に垂直な面（第２の面）１５８を有しており、この第２の面１５８に第２の光学フィルタ１６２が保持される。
【００３４】
ここで、第１の光学フィルタ１６１は、光ファイバー１２１より供給される受信光１００ｂを反射し、発光部品１３０が発生する送信光１００ａを透過する性質を有しており、第２の光学フィルタ１６２は、光ファイバー１２１より供給される受信光１００ｂを透過し、発光部品１３０が発生する送信光１００ａを反射する性質を有している。このため、発光部品１３０より発せられた送信光１００ａは第１の光学フィルタ１６１を透過して光ファイバー１２１に供給される一方、光ファイバー１２１より供給される受信光１００ｂは、第１の光学フィルタ１６１を反射することによってその進路を９０°変化させられ、その後、第２の光学フィルタ１６２に対して実質的に垂直に入射し、これを透過して受光部品１４０に供給されることになる。
【００３５】
以上が、本実施形態による光モジュール１００の構成である。
【００３６】
このような構成を有する光モジュール１００では、第２の光学フィルタ１６２が送信光１００ａを反射する性質を有していることから、送信光１００ａが迷光となってメインハウジング１１０内で散乱した場合であっても、これが受光部品１４０に達することなく、第２の光学フィルタ１６２によって遮断される。このため、迷光に起因するノイズを低減することが可能となる。しかも、本実施形態による光モジュール１００では、このような２つの光学フィルタ１６１、１６２を一つのフィルタ保持部材１５０によって保持していることから、部品点数の増大を抑制することが可能となる。さらに、２つの光学フィルタ１６１、１６２を一つのフィルタ保持部材１５０によって保持していることから、これら光学フィルタ１６１、１６２の位置関係にずれが生じることがほとんど無く、これらを精度良く位置決めすることが可能となる。
【００３７】
尚、フィルタ保持部材１５０の構造としては、図３に示す構造に限定されず、他の種々の構造を採用することが可能である。
【００３８】
例えば、図４に示すように、第１及び第２の突出部１５５、１５６の形状を平板状としても構わないし、図５に示すように、第１の突出部１５５を２つの突出部１５５ａ、１５５ｂに分割し、第２の突出部１５６を２つの突出部１５６ａ、１５６ｂに分割しても構わない。さらに、送信光１００ａの光路を遮らない限り、図６に示すように、第１の突出部１５５の一部（１５５ｂ）と第２の突出部１５６の一部（１５６ｂ）を一体化させても構わない。
【００３９】
さらにまた、受光部品１４０に含まれるレンズ１４２と干渉しない限り、図７に示すように、第２の筒状部分を省略しても構わない。この場合、筒状部分１５１の一端がフィルタ載置部分１５４となり、筒状部分１５１とフィルタ載置部分１５４がキャップ部を構成することになる。図７に示す構造は、図３乃至図６に示した構造に比べて単純であることから、受光部品１４０にレンズ１４２が含まれていないか、或いは、受光部品１４０にレンズ１４２が含まれている場合であってもこれが突出していない場合において好適な構造である。
【００４０】
図８は、本発明の好ましい他の実施の形態による光モジュール２００の構成を示す断面図である。
【００４１】
本実施形態による光モジュール２００は、図１に示した光モジュール１００と全く同じ部品を使用しているが、第２の光学フィルタ１６２を載置している位置が異なっている。つまり、図１に示した光モジュール１００では、第２の光学フィルタ１６２をフィルタ載置部分１５４の第１及び第２の突出部１５５、１５６側の表面に載置したが、本実施形態による光モジュール２００では、これをフィルタ載置部分１５４の反対側の表面に載置している。このような構成においても、図１に示した光モジュール１００と同様の効果を得ることが可能となる。
【００４２】
図９は、本発明の好ましいさらに他の実施の形態による光モジュール３００の構成を示す断面図である。
【００４３】
本実施形態による光モジュール３００は、ファイバー保持部品１２０から第１のスライダ１２３が省略され、その代わりに、第２の部品取り付け部（１１２）が発光部品１３０の位置をメインハウジング１１０に対して図９に示すＸ方向（図９の上下方向）及びＹ方向（図９が描かれた紙面に垂直な方向）に摺動可能に構成されている点において、図１に示した光モジュール１００と異なっている。したがって、本実施形態による光モジュール３００では、Ｘ方向及びＹ方向への位置調整は発光部品１３０を用いて行い、Ｚ方向への位置調整は第２のスライダ１２４を用いて行う。
【００４４】
図１０は、本発明の好ましいさらに他の実施の形態による光モジュール４００の構成を示す断面図である。
【００４５】
本実施形態による光モジュール４００は、第１の部品取り付け部１１１と第２の部品取り付け部１１２を結ぶ直線に対して、ファイバー保持部品１２０が所定の傾きを持って挿入されている点において、図９に示す光モジュール３００と異なっている。つまり、本実施形態による光モジュール４００では、光ファイバー１２１を上記直線に対して所定の傾きを持って固定可能に構成されている。これは、光ファイバー１２１の終端部での反射の影響を低減するために、光軸に対して垂直ではなく、所定の傾きを持って光ファイバー１２１が終端されている場合において、この傾きによる影響を補償し、光ファイバー１２１と発光部品１３０を効率よく結合させることを目的としたものである。光ファイバー１２１と発光部品１３０を効率よく結合させるためには、ファイバー保持部品１２０の傾きを５°以下に設定すればよい。
【００４６】
図１１は、本発明の好ましいさらに他の実施の形態による光モジュール５００の構成を示す断面図である。
【００４７】
本実施形態による光モジュール５００は、メインハウジング１１０が２つの部分１１０−１及び１１０−２によって構成されており、これら２つの部分１１０−１及び１１０−２が互いに図１１に示すＸ方向（図１１の上下方向）及びＹ方向（図１１が描かれた紙面に垂直な方向）に摺動可能に構成されている点において、図１０に示した光モジュール４００と異なっている。したがって、本実施形態による光モジュール５００では、Ｘ方向及びＹ方向への位置調整はメインハウジング１１０の２つの部分１１０−１及び１１０−２を用いて行い、Ｚ方向への位置調整は第２のスライダ１２４を用いて行う。
【００４８】
本発明は、以上説明した実施の形態に限定されることなく、特許請求の範囲に記載された発明の範囲内で種々の変更が可能であり、それらも本発明の範囲内に包含されるものであることはいうまでもない。
【００４９】
例えば、上記各実施形態では、メインハウジング１１０の第１の部品取り付け部１１１と第２の部品取り付け部１１２を結ぶ直線１１０ａ（図２参照）に対して９０°の角度を持った位置に第３の部品取り付け部１１３が設けられ、これに対応して第１の光学フィルタ１６１がこの直線１１０ａに対して４５°の角度で保持されているが、後者の角度が前者の角度の半分であれば、これら角度がそれぞれ９０°及び４５°である必要はない。
【図面の簡単な説明】
【００５０】
【図１】本発明の好ましい実施の形態による光モジュール１００の構成を示す断面図である。
【図２】光モジュール１００の分解断面図である。
【図３】フィルタ保持部材１５０の構造をより詳細に示す略斜視図である。
【図４】フィルタ保持部材１５０の他の構造を示す略斜視図である。
【図５】フィルタ保持部材１５０のさらに他の構造を示す略斜視図である。
【図６】フィルタ保持部材１５０のさらに他の構造を示す略斜視図である。
【図７】フィルタ保持部材１５０のさらに他の構造を示す略斜視図である。
【図８】本発明の好ましい他の実施の形態による光モジュール２００の構成を示す断面図である。
【図９】本発明の好ましいさらに他の実施の形態による光モジュール３００の構成を示す断面図である。
【図１０】本発明の好ましいさらに他の実施の形態による光モジュール４００の構成を示す断面図である。
【図１１】本発明の好ましいさらに他の実施の形態による光モジュール５００の構成を示す断面図である。
【図１２】特許文献１に記載された従来の光モジュール１０の構造を示す略断面図である。
【符号の説明】
【００５１】
１００，２００，３００，４００，５００  光モジュール
１００ａ  送信光
１００ｂ  受信光
１１０    メインハウジング
１１０−１，１１０−２  メインハウジングの一部分
１１０ａ  第１の部品取り付け部と第２の部品取り付け部を結ぶ直線
１１１    第１の部品取り付け部
１１２    第２の部品取り付け部
１１３    第３の部品取り付け部
１２０    ファイバー保持部品
１２０ａ  ファイバー保持部品の取り付け方向
１２１    光ファイバー
１２２    ファイバー被覆
１２３    第１のスライダ
１２４    第２のスライダ
１２５    フェルール
１３０    発光部品
１３０ａ  発光部品の取り付け方向
１３１    発光素子
１３２    レンズ
１３３    信号ピン
１４０    受光部品
１４０ａ  発光部品の取り付け方向
１４１    受光素子
１４２    レンズ
１４３    信号ピン
１５０    フィルタ保持部材
１５０ａ  フィルタ保持部材の取り付け方向
１５１    第１の筒状部分
１５２    第２の筒状部分
１５３    ストッパー部分
１５４    フィルタ載置部分
１５４ａ  開口
１５５    第１の突出部
１５５ａ，１５５ｂ  第１の突出部の一部分
１５６    第２の突出部
１５６ａ，１５６ｂ  第１の突出部の一部分
１５７    第１の面
１５８    第２の面
１６１    第１の光学フィルタ
１６２    第２の光学フィルタ
【図１】
2005202156.tif 000003
【図２】
2005202156.tif 000004
【図３】
2005202156.tif 000005
【図４】
2005202156.tif 000006
【図５】
2005202156.tif 000007
【図６】
2005202156.tif 000008
【図７】
2005202156.tif 000009
【図８】
2005202156.tif 000010
【図９】
2005202156.tif 000011
【図１０】
2005202156.tif 000012
【図１１】
2005202156.tif 000013
【図１２】
2005202156.tif 000014